(57)【要約】  油圧破砕ハンマーは、長手方向孔（１２）を有するハウジング（１０）と、前記孔（１２）内に装着されるシリンダスリーブ（１４）と、前記シリンダスリーブ（１４）内に密閉的にガイドされるハンマーピストン（１５）と、作業工具を受けるために前記孔（１２）の前端部に配置されるガイドスリーブ（２０）と、前記孔（１２）の後端部に閉鎖部を形成する後端部カバー（１６）とを有する。  前記後端部カバー（１６）が、該端部カバー（１６）と一体部材として一体的に形成された筒状首部（１７）を備え、前記筒状首部（１７）が前記孔（１２）の内部にのびている。  筒状首部（１７）はハンマーピストン（１５）のガイド手段を形成し、前記孔（１２）が、軸線方向に向いた環状肩部（１８）を備え、前記シリンダスリーブ（１４）が、正確な作動位置において、前記肩部（１８）と前記端部カバーの首部（１７）との間で支持されている。【選択図】図１
2007528798.tif 000002
【特許請求の範囲】
【請求項１】
長手方向孔（１２）を有するハウジング（１０）と、
前記孔（１２）内に装着されるシリンダスリーブ（１４）と、
前記シリンダスリーブ（１４）内に密閉的にガイドされるハンマーピストン（１５）と、
作業工具を受けるために前記孔（１２）の前端部に配置されるガイドスリーブ（２０）と、
前記孔（１２）の後端部に閉鎖部を形成する後端部カバー（１６）と
を備えた油圧破砕ハンマーにおいて、
前記後端部カバー（１６）が、該端部カバー（１６）と一体部材として一体的に形成された筒状首部（１７）を備え、
前記筒状首部（１７）が前記孔（１２）の内部にのび、
前記筒状首部（１７）がハンマーピストン（１５）のガイド手段を形成し、
前記孔（１２）が、軸線方向に向いた環状肩部（１８）を備え、
前記シリンダスリーブ（１４）が、正確な作動位置において、前記肩部（１８）と前記端部カバーの首部（１７）との間で支持されている
ことを特徴とする油圧破砕ハンマー。
【請求項２】
前記ハウジング（１０）の後端部に、機械キャリアに装着するための装着手段（１１）が形成されている
ことを特徴とする請求項１に記載の油圧破砕ハンマー。
【発明の詳細な説明】
【技術分野】
【０００１】
本発明は、長手方向孔を有するハウジング、前記孔内で支持された円筒状スリーブ、前記シリンダスリーブ内で密閉的にガイドされ、かつ、ハウジングの前部開口を通して挿入された作業工具に繰り返し衝撃を伝達するために往復運動させられるハンマーピストン、及び前記孔の閉鎖部を形成する後端部カバーを備えたタイプの油圧破砕ハンマーに関する。
【背景技術】
【０００２】
例えば、米国特許第５，４４５，２３２号に開示されている従来のこのタイプの破砕ハンマーは、多数の別々の細部部品を有するかなり複雑な設計である。
【０００３】
【特許文献１】米国特許第５，４４５，２３２号
【発明の開示】
【発明が解決しようとする課題】
【０００４】
その結果、細部部品の製造に加えて、組み立て及び修理に関してコストが非常に高くなっていた。
【課題を解決するための手段】
【０００５】
本発明の主目的は、上記したタイプの油圧破砕ハンマーを、より少ない細部部品で製造して、製造及び組み立てに係るコストを低減させることにある。
本発明の他の目的は、簡単化されたピストンが適用される簡単で堅牢な設計の油圧破砕ハンマーを製造することにある。
本発明のさらに別の目的及び利点は、以下の説明及び特許請求の範囲から明らかになる。
【発明を実施するための最良の形態】
【０００６】
以下に添付図面を参照して本発明の好ましい実施の形態を説明していく。
【０００７】
図示された油圧破砕ハンマーは、掘削機のアームのような機械キャリアに取り付けるための後部装着肩部１１が形成されたハウジング１０を有する。ハウジング１０には長手方向貫通孔１２が設けられ、該長手方向貫通孔１２の後部には、ハンマーピストン１５を密閉的にガイドするシリンダスリーブ１４が支持されている。ハウジング１０の後端部には、端部カバー１６がボルト止めされ、この端部カバー１６が孔１２の閉鎖部を形成する。この端部カバー１６には、筒形首部１７が一体部材として形成され、前記筒形首部１７は孔１２内にのび、シリンダスリーブ１４の後端部と接触する。シリンダスリーブ１４は、端部カバーの首部１７と孔１２内の肩部１８との間の、その適当な位置で、孔１２内にクランプされる。また、首部１７はハンマーピストン１５のガイド手段を形成し、ハンマーピストン１５の後端部と共働するシールリング１９を支持している。
【０００８】
孔１２は、その前部に、作業工具（図示せず）の後端部を受けるための作業工具ガイドスリーブ２０を支持している。スリーブ２０の内面を潤滑するために、ハウジング１０には、ガイドスリーブ２０の径方向開口２２ａ，ｂを介してガイドスリーブ２０の内側と連通する潤滑油供給通路２１が設けられている。さらに、ガイドスリーブ２０には、その外側に、４つのＯリング２３ａ〜ｄが設けられている。４つのＯリングを設ける目的は二つあり、即ち、孔１２との摩擦係合を介して、スリーブ２０を孔１２内に保持すること、かつ、それらの間に、二つの環状区画２４及び２５を密閉することにある。ガイドスリーブ２０の径方向開口２２ａ，ｂは、Ｏリング２３ａ，ｂの間と、Ｏリング２３ｃ，ｄの間に各々設けられ、潤滑油が区画２４及び２５を通過して、径方向開口２２ａ，ｂ及びガイドスリーブ２０の内側に達するようにしてある（図３参照）。従って、区画２４及び２５は潤滑油（グリース）で満たされる。また、区画２４及び２５が軸線方向にのびているので、ガイドスリーブ２０の外面のかなりの部分に亘って潤滑油が広がり、それにより、孔１２にガイドスリーブ２０がくっついて動かなくなることを防止する。
【０００９】
ハンマーピストン１５を往復運動で駆動させて、ガイドスリーブ２０内に挿入された作業工具に衝撃を伝達ように、原動力となる加圧流体をシリンダスリーブ１４に供給するための加圧流体導入通路２９がハウジング１０に設けられている。ピストン１５は、二つの対向する駆動面２９，３０を有する。下側駆動面３０が継続的に加圧流体源と繋がっているのに対して、上側駆動面２９は、加圧流体分配弁３１を介して間欠的に加圧される。分配弁３１は、加圧流体導入通路２８と連通する流体入口３２と、ハンマーピストン１５の上側駆動面２９と連通する流体出口３３とを有する。また、分配弁３１は、弁孔３５と、前記孔３５に密閉的にガイドされた弁要素３４とを有する。弁要素３４は、孔３５にガイドされた筒状ガイド部分３６と、端壁３７とを有する。端壁３７には、ガイド部分３６の内側及び流体入口３２を、端壁３７の外面に連結するための貫通開口３８が設けられている。端壁３７には、縮径作用部４０が設けられており、この縮径作用部４０は、ガイド部３６に対向する方向に同軸上でのび、間欠加圧作用孔４１内に受け入れられている。
【００１０】
端壁３７は、ガイド部分３６より僅かに大きい横断面を有し、弁要素３４が閉弁しているので、ガイド部分３６によって形成される表面領域と、開口３８を介した端壁３７の外面との両方に、流体圧力が常時作用することになる。作用孔４１がタンクに連結されている状態、即ち、作用部分４０上に圧力が作用していない状態においては、端壁３７の残りの部分がガイド部分領域より小さいので、弁要素３４に閉弁力が作用することになる。代わりに、作用孔４１が加圧された時、端壁及び作用部分４０の全領域が、ガイド部分領域上に作用する圧力によって発生される力を上回る力を発生する。これにより、弁要素３４は、その開弁位置まで移動する（図示せず）。
【００１１】
弁要素３４は、入口３２と出口３３との間の連通を制御するために設けられており、そのため、弁要素３４は、二重シール作用、即ち、クリアランスシールとシートシールの両方の作用を有する。クリアランスシール作用は、図１に示された弁の閉弁位置から分かるように、端壁３７の円周面４４が弁孔３５と共働することにより得られる。シートシールは、孔３５の端部にある環状シート４５が、端壁３７の環状接触面４６と共働することによって達成される。上記したクリアランスシールとシートシールとの組み合わせによって、高度な弁緊密性(valve tightness)が得られ、従って、ハンマーの効率が良くなる。
【００１２】
また、図示した破砕ハンマーは、圧力ピーク吸収蓄圧器５０を備え、この蓄圧器５０は、ハンマーハウジング１０によって一部が形成され、かつ、ハウジング１０に取り付けられるカバー５１によって一部が形成される。蓄圧器５０は膨張室５２を備え、この膨張室５２は、従来の方法で、可撓性膜５３によって、加圧流体室５４とガス緩衝室５５とに分割されている。膨張室５２は、内壁５７と外壁５８とによって画定され、外壁５８はカバー５１によって形成されている。
【００１３】
また、ステム部分６１と膜係合ヘッド６２とから成る可動膜支持部材５９が設けられている。膜係合ヘッド６２は加圧流体室５４の内部に配置されており、ステム部分６１は内壁５７の孔に移動可能にガイドされている。開口６４が、加圧流体を膨張室５２内に通じさせるためにステム部分６１と並行に設けられており、かつ、膜支持部材５９のヘッド６２は、膜５３が内壁５７に対して押圧されている時、低圧力レベルで、これらの開口６４を覆うように配置されている。ばね６５は、膜支持部材５９に、膜５３の方向にバイアス力をかけるために設けられている。ガイドステム部分６１の長さを制限するために、膨張室の外壁５８上に、隆起した形状の突起部６６の形態の停止手段が設けられている。この突起部６６は、カバー５１に一体部材として一体的に形成されている。この膜支持部材５９のための移動を制限する構成は、余分な部材を含まない簡単な構成である。
【００１４】
本発明による端部カバー構造は、ピストンガイド手段を、簡単な二つの部材、即ち、シリンダスリーブと首部を供えた端部カバーとで形成することにより、ハウジング内のシリンダスリーブの取り付けを、簡単化して、かつ、安価にし、それにより、製造に加えて保守の実質的なコストを下げることができる。しかし、本発明の実施例は、上述した実施例に制限されることはなく、特許請求の範囲の範囲内で自由に変更することができる。
【図面の簡単な説明】
【００１５】
【図１】本発明に係る油圧破砕ハンマーの長手方向断面図である。
【図２】図１に示した破砕ハンマーの分配弁の拡大断面図である。
【図３】図１に示した破砕ハンマーの作業工具スリーブ構造の部分拡大断面図である。
【図１】
2007528798.tif 000003
【図２】
2007528798.tif 000004
【図３】
2007528798.tif 000005
【国際調査報告】
2007528798.tif 000006
2007528798.tif 000007
2007528798.tif 000008